(57)【要約】【課題】設置面積の小型化（特に奥行き方向の寸法の短縮化）を実現する。【解決手段】媒体取扱装置１は、媒体（紙幣）が入出される入出部（入出金部３）と、媒体が収納される複数の収納庫（金庫１２ａ，１２ｂ，１２ｃ）と、媒体を上下方向に搬送する上下方向搬送路７と、を有している。複数の収納庫のうち、少なくとも２つの収納庫（金庫１２ａ，１２ｂ）は、上下方向搬送路に対して前方向と後方向とに分かれて配置されている。上下方向搬送路は、入出部から水平方向に延びるように配置された水平方向搬送路５の途中から分岐して上下方向に延びるように配置されている。【選択図】図１
2019169045.tif 000002
【特許請求の範囲】
【請求項１】
媒体が入出される入出部と、
前記媒体が収納される複数の収納庫と、
前記媒体を上下方向に搬送する上下方向搬送路と、を有し、
前記複数の収納庫のうち、少なくとも２つの収納庫は、前記上下方向搬送路に対して前方向と後方向とに分かれて配置されている
ことを特徴とする媒体取扱装置。
【請求項２】
請求項１に記載の媒体取扱装置において、
さらに、前記媒体を水平方向に搬送する水平方向搬送路を有し、
前記水平方向搬送路は、前記入出部から水平方向に延びるように配置されており、
前記上下方向搬送路は、前記水平方向搬送路の途中から分岐して上下方向に延びるように配置されている
ことを特徴とする媒体取扱装置。
【請求項３】
請求項２に記載の媒体取扱装置において、
さらに、前記媒体が一時的に収納される一時収納部を有しており、
前記一時収納部の媒体出入り口は、前記水平方向搬送路の終端付近に配置されている
ことを特徴とする媒体取扱装置。
【請求項４】
請求項３に記載の媒体取扱装置において、
前記一時収納部の下に前記収納庫が配置されている
ことを特徴とする媒体取扱装置。
【請求項５】
請求項３又は請求項４に記載の媒体取扱装置において、
所望のタイミングにおいて、前記一時収納部に収納された前記媒体の前記収納庫への移送を開始する
ことを特徴とする媒体取扱装置。
【請求項６】
請求項２乃至請求項５のいずれか一項に記載の媒体取扱装置において、
前記水平方向搬送路の経路上の、前記上下方向搬送路が分岐している箇所よりも後方の位置に、前記媒体を鑑別する鑑別部が配置されている
ことを特徴とする媒体取扱装置。
【請求項７】
請求項６に記載の媒体取扱装置において、
前記上下方向搬送路の経路上に、前記鑑別部とは別の鑑別部が配置されている
ことを特徴とする媒体取扱装置。
【発明の詳細な説明】
【技術分野】
【０００１】
本発明は、媒体取扱装置に関する。
【背景技術】
【０００２】
紙幣等の媒体を取り扱う媒体取扱装置が様々な場所で利用されている。例えば、小売店等の精算カウンタには、ＰＯＳレジ（ＰＯＳ型レジスタ装置）が配置され、そのＰＯＳレジの下には釣銭機として構成された媒体取扱装置（例えば、特許文献１及び特許文献２参照）が配置されている。ただし、媒体取扱装置は、釣銭機に限らず、例えば、金融機関や流通機関等で用いられている電子マネーチャージ機やセルフ精算機、交通機関や流通機関等で用いられている券売機、その他の装置として構成されている場合がある。ここでは、媒体取扱装置が釣銭機として構成されている場合を想定して説明する。
【０００３】
釣銭機として構成された媒体取扱装置は、例えば図７に示す構成になっている。図７は、従来の媒体取扱装置１０１の内部構成を模式的に示す図である。
【０００４】
図７に示す例では、媒体取扱装置１０１は、入出金部１０３と、走行路１０５ａ，１０５ｂ，１０５ｃ，１０５ｄ，１０８ａ，１０８ｂ，１０８ｃと、金庫１１２ａ，１１２ｂ，１１２ｃと、回収カセット１１３と、を備えている。
【０００５】
入出金部１０３は、紙幣（媒体）が入出される部位である。入出金部１０３は、シャッタ１０４によって開閉される。入出金部１０３は、媒体取扱装置１０１の前面付近に設けられている。
【０００６】
走行路１０５ａ，１０５ｂ，１０５ｃ，１０５ｄ，１０８ａ，１０８ｂ，１０８ｃは、紙幣を走行させる構成要素である。各走行路１０５ａ，１０５ｂ，１０５ｃ，１０５ｄ，１０８ａ，１０８ｂ，１０８ｃには、紙幣を搬送するための図示せぬ搬送機構が設けられている。走行路１０５ａは、媒体取扱装置１０１の前面付近に設けられた入出金部１０３に前端部が接続されており、入出金部１０３から媒体取扱装置１０１の後方に向けて延在するように配置されている。その走行路１０５ａの後方には、走行路１０５ｂ，１０５ｃ，１０５ｄが順に配置されている。走行路１０５ｄの後端部は、金庫１１２ｃに接続されている。走行路１０８ｃは、その下端部が回収カセット１１３に接続されるように、走行路１０５ａの後端部と走行路１０５ｂの前端部との間から分岐して設けられている。走行路１０８ａは、その下端部が金庫１１２ａに接続されるように、走行路１０５ｂの後端部と走行路１０５ｃの前端部との間から分岐して設けられている。走行路１０８ｂは、その下端部が金庫１１２ｂに接続されるように、走行路１０５ｃの後端部と走行路１０５ｄの前端部との間から分岐して設けられている。
【０００７】
走行路１０５ａの途中部分には、入金用の鑑別部１１０ａが配置されている。また、走行路１０５ｂの途中部分には、出金用の鑑別部１１０ｂが配置されている。また、走行路１０５ａの後端部と走行路１０５ｂの前端部の近傍には、切替ブレード１０９ａが配置されている。また、走行路１０５ｂの後端部と走行路１０５ｃの前端部の近傍には、切替ブレード１０９ｂが配置されている。また、走行路１０５ｃの後端部と走行路１０５ｄの前端部の近傍には、切替ブレード１０９ｃが配置されている。切替ブレード１０９ａ，１０９ｂ，１０９ｃは、紙幣の搬送方向を切り替える切替手段である。
【０００８】
金庫１１２ａ，１１２ｂ，１１２ｃは、それぞれ、再使用可能な状態の紙幣（正券紙幣）が収納される部位である。回収カセット１１３は、再使用不能な状態の紙幣（リジェクト紙幣）が収納される部位である。
【０００９】
媒体取扱装置１０１は、入金時に、再使用可能な状態の紙幣（正券紙幣）を入金紙幣の金種に応じて該当する金庫１１２ａ，１１２ｂ，１１２ｃに収納する。また、媒体取扱装置１０１は、入金時に、再使用不能な状態の紙幣（リジェクト紙幣）を回収カセット１１３に収納する。また、媒体取扱装置１０１は、出金時又は回収時に、金庫１１２ａ，１１２ｂ，１１２ｃから紙幣を繰り出して出金する。回収動作は、媒体取扱装置１０１の内部に収納されている紙幣を回収する場合の動作である。
【００１０】
係る構成において、釣銭機として構成された媒体取扱装置１０１は、ＰＯＳレジの下に配置されることを考慮して、その設置面積の寸法がＰＯＳレジの設置面積の寸法以下になるように構成されている。
【先行技術文献】
【特許文献】
【００１１】
【特許文献１】特開２００９−４８２７３号公報
【特許文献２】特開２０１３−１０９４４９号公報
【発明の概要】
【発明が解決しようとする課題】
【００１２】
近年、小売店等では、ＰＯＳレジ以外の様々な装置（例えば、保温機やコーヒーメーカ等）や様々な商品（例えば、ドーナツや本等）が精算カウンタに配置されつつある。これに合わせてＰＯＳレジの設置面積の小型化（狭小化）が要望されている。そして、その要望を満たすために、媒体取扱装置についても、設置面積の小型化が要望されている。
【００１３】
しかしながら、従来の媒体取扱装置は、奥行き方向に複数の金庫や回収カセットを直列に配置する構成になっていた。このような従来の媒体取扱装置は、特に奥行き方向の寸法が長くなる傾向があるため、ＰＯＳレジに要望されている設置面積の小型化（狭小化）基準を満たすように、小型化（狭小化）すること（特に奥行き方向の寸法を短縮化すること）が困難であった。
【００１４】
本発明は、前記した課題を解決するためになされたものであり、設置面積の小型化された媒体取扱装置を提供することを主な目的とする。
【課題を解決するための手段】
【００１５】
前記目的を達成するため、本発明は、媒体取扱装置であって、媒体が入出される入出部と、前記媒体が収納される複数の収納庫と、前記媒体を上下方向に搬送する上下方向搬送路と、を有し、前記複数の収納庫のうち、少なくとも２つの収納庫は、前記上下方向搬送路に対して前方向と後方向とに分かれて配置されている構成とする。
【発明の効果】
【００１６】
本発明によれば、設置面積の小型化を実現することができる。
【図面の簡単な説明】
【００１７】
【図１】実施形態１に係る媒体取扱装置の内部構成を模式的に示す図である。
【図２】実施形態１に係る媒体取扱装置の入金時の動作を示す図である。
【図３】実施形態１に係る媒体取扱装置の出金時及び回収時の動作を示す図である。
【図４】実施形態２に係る媒体取扱装置の内部構成を模式的に示す図である。
【図５】実施形態２に係る媒体取扱装置の入金時の動作を示す図である。
【図６】実施形態２に係る媒体取扱装置の出金時及び回収時の動作を示す図である。
【図７】従来の媒体取扱装置の内部構成を模式的に示す図である。
【発明を実施するための形態】
【００１８】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１９】
［実施形態１］
＜媒体取扱装置の構成＞
以下、図１を参照して、本実施形態１に係る媒体取扱装置１の構成について説明する。図１は、本実施形態１に係る媒体取扱装置１の内部構成を模式的に示す図である。ここでは、媒体取扱装置１が釣銭機として構成されており、小売店等の精算カウンタに設置されている場合を想定して説明する。ただし、媒体取扱装置は、釣銭機に限らず、例えば、金融機関や流通機関等で用いられている電子マネーチャージ機やセルフ精算機、交通機関や流通機関等で用いられている券売機、その他の装置として構成することができる。
【００２０】
媒体取扱装置１は、例えばＰＯＳレジ（ＰＯＳ型レジスタ装置）等の上位装置２の下に配置され、接続ケーブル９０によって上位装置２に通信可能に接続されている。上位装置２は、媒体取扱装置１の操作者による操作（例えば、顧客が持ってきた商品の売上計上処理の操作や、商品の精算処理等の操作）を受け付け、受け付けた操作に応じて媒体取扱装置１を動作させる。
【００２１】
図１に示すように、媒体取扱装置１は、入出金部３と、水平方向搬送路５と、上下方向搬送路７と、複数の金庫１２（図示例では、３つの金庫１２ａ，１２ｂ，１２ｃ）と、回収カセット１３と、を備えている。また、媒体取扱装置１は、図示せぬ制御部と図示せぬ記憶部とを備えている。
【００２２】
入出金部３は、紙幣（媒体）が入出される部位である。入出金部３は、シャッタ４によって開閉される。ここでは、媒体が紙幣であるため、入出金部３と呼称するが、媒体が紙幣以外のものである場合に、入出金部３は入出部と呼称するものとする。入出金部３は、媒体取扱装置１の前面付近に設けられている。
【００２３】
水平方向搬送路５は、紙幣を水平方向に搬送する搬送路である。水平方向搬送路５には、紙幣を搬送するための図示せぬ搬送機構が設けられている。水平方向搬送路５は、媒体取扱装置１の前面付近に設けられた入出金部３に前端部が接続されており、入出金部３から媒体取扱装置１の後方に向けて延在するように配置されている。図示例では、水平方向搬送路５は、入出金部３に接続された走行路５ａと、その後方に配置された走行路５ｂとで構成されている。
【００２４】
上下方向搬送路７は、紙幣を垂直方向に搬送する搬送路である。上下方向搬送路７は、水平方向搬送路５の途中（図示例では、走行路５ａと走行路５ｂとの間の分岐箇所）から分岐して上下方向に延びるように配置されている。図示例では、上下方向搬送路７は、水平方向搬送路５との分岐箇所に接続された走行路７ａと、その下方に配置された走行路７ｂとで構成されている。
【００２５】
金庫１２は、紙幣が収納される収納庫である。複数の金庫１２のうち、少なくとも２つの金庫（図示例では、金庫１２ａと金庫１２ｂ）は、上下方向搬送路７の下端が前後方向に分岐した構造になっており、その上下方向搬送路７に対して前方向と後方向とに分かれて配置されている。また、金庫１２ｃは、水平方向搬送路５の終端付近に配置されている。ここで、前方向とは、入出金部３側であり、後方向とは、入出金部３側から見て装置の後面側、すなわち金庫１２ｃ側のことである。なお、本実施形態では、３つの金庫１２ａ，１２ｂ，１２ｃが設けられているが、金庫１２は、２つ以上であればいくつでもよい。つまり、上下方向搬送路７に対して前方向と後方向とに分かれて配置された２つの金庫１２ａ，１２ｂがあれば、金庫１２の数はいくつでもよい。金庫１２ａと走行路７ｂの下端部とは、走行路８ａで接続されている。また、金庫１２ｂと走行路７ｂの下端部とは、走行路８ｂで接続されている。各金庫１２ａ，１２ｂ，１２ｃの出入り口には、紙幣を繰り出すための図示せぬ繰り出し機構が設けられている。
【００２６】
回収カセット１３は、回収動作時に金庫１２（１２ａ、１２ｂ、１２ｃ）から搬送された紙幣を収納する収納庫である。回収カセット１３の内部には、リジェクト紙幣を収納するリジェクト庫１３３が設けられている。リジェクト庫１３３は、再使用が不能なリジェクト紙幣が収納される収納庫である。回収カセット１３と上下方向搬送路７の途中部分（図示例では、走行路７ａと走行路７ｂとの間の分岐箇所）とは、走行路８ｃで接続されている。
【００２７】
走行路５ａの途中部分には、入金用の鑑別部１０ａが配置されている。また、走行路５ｂの途中部分には、出金用の鑑別部１０ｂが配置されている。また、走行路７ｂの途中部分には、出金用の鑑別部１０ｃが配置されている。鑑別部１０ａは、入金紙幣を鑑別する構成要素である。鑑別部１０ｂ，１０ｃは、出金紙幣を鑑別する構成要素である。
【００２８】
走行路５ａの後端部と走行路５ｂの前端部の近傍には、切替ブレード９ａが配置されている。また、走行路７ａの下端部と走行路７ｂの上端部の近傍には、切替ブレード９ｂが配置されている。また、走行路７ｂの下端部の近傍には、切替ブレード９ｃが配置されている。切替ブレード９ａ，９ｂ，９ｃは、紙幣の搬送方向を切り替える切替手段である。
【００２９】
ここでは、切替ブレード９ａ，９ｂが紙幣の搬送方向を３通りに切り替える切替手段（３ウェイブレード）であるものとして説明する。また、切替ブレード９ｃが紙幣の搬送方向を２通りに切り替える切替手段（２ウェイブレード）であるものとして説明する。
【００３０】
切替ブレード９ａは、走行路５ａ，５ｂに沿って紙幣を走行させたり、水平方向搬送路５と走行路７ａとの間で紙幣を走行させたりするように、紙幣の搬送方向を切り替えることができる。切替ブレード９ｂは、走行路７ａ，７ｂに沿って紙幣を走行させたり、上下方向搬送路７と走行路８ｃとの間で紙幣を走行させたりするように、紙幣の搬送方向を切り替えることができる。切替ブレード９ｃは、走行路８ａに沿って紙幣を走行させたり、走行路８ｂに沿って紙幣を走行させたりするように、紙幣の搬送方向を切り替えることができる。
【００３１】
＜媒体取扱装置の動作＞
媒体取扱装置１は、制御部（図示せず）が記憶部（図示せず）に予め記憶された制御プログラム（図示せず）を実行することで、以下のような入金時の動作、出金時の動作、及び、回収時の動作を行う。
【００３２】
（媒体取扱装置の入金時の動作）
以下、図２を参照して、媒体取扱装置１の入金時の動作について説明する。図２は、媒体取扱装置１の入金時の動作を示す図である。図２は、切替ブレード９ａ，９ｂ，９ｃ（図１参照）を省略して媒体取扱装置１の動作を示している。ここでは、例えば、小売店等の精算カウンタで、顧客が所望の商品を購入する場合を想定して説明する。
【００３３】
入金時において、媒体取扱装置１の操作者（例えば、小売店の店員）は、顧客から商品の代金として１乃至複数枚の紙幣を預かり、預かった紙幣を入金紙幣として入出金部３に投入する。すると、図２に示すように、媒体取扱装置１は、入出金部３に投入された入金紙幣を１枚ずつに分離して走行路５ａに順次繰り出し、走行路５ａに沿って搬送して、内部に取り込む（矢印Ｒ１１参照）。その際に、媒体取扱装置１は、鑑別部１０ａで入金紙幣を鑑別して、鑑別部１０ａを通過した紙幣の順番に基づいて、鑑別された紙幣の属性情報（例えば、紙幣の金種情報や、紙幣が再使用可能な状態であるのか否かの情報等）を記憶部（図示せず）に記憶する。また、媒体取扱装置１は、鑑別結果に応じて紙幣の搬送先を決定して、搬送先の情報を記憶部（図示せず）に記憶する。
【００３４】
この後、媒体取扱装置１は、紙幣の搬送先に応じて、切替ブレード９ａ，９ｂ，９ｃの方向を切り替えながら、該当する搬送先に入金紙幣を搬送する。
【００３５】
例えば、入金紙幣が金庫１２ｃに割り当てられた金種の紙幣である場合に、媒体取扱装置１は、金庫１２ｃを紙幣の搬送先に決定する。そして、媒体取扱装置１は、走行路５ａと走行路５ｂに沿って入金紙幣を金庫１２ｃに搬送して収納する（矢印Ｒ１１と矢印Ｒ１６参照）。
【００３６】
また、例えば、入金紙幣が金庫１２ａに割り当てられた金種の紙幣である場合に、媒体取扱装置１は、金庫１２ａを紙幣の搬送先に決定する。そして、媒体取扱装置１は、走行路５ａと走行路７ａと走行路７ｂと走行路８ａに沿って入金紙幣を金庫１２ａに搬送して収納する（矢印Ｒ１１と矢印Ｒ１２と矢印Ｒ１３と矢印Ｒ１４参照）。
【００３７】
また、例えば、入金紙幣が金庫１２ｂに割り当てられた金種の紙幣である場合に、媒体取扱装置１は、金庫１２ｂを紙幣の搬送先に決定する。そして、媒体取扱装置１は、走行路５ａと走行路７ａと走行路７ｂと走行路８ｂに沿って入金紙幣を金庫１２ｂに搬送して収納する（矢印Ｒ１１と矢印Ｒ１２と矢印Ｒ１３と矢印Ｒ１５参照）。
【００３８】
また、例えば、入金紙幣がリジェクト紙幣である場合に、媒体取扱装置１は、リジェクト庫１３３を紙幣の搬送先に決定する。そして、媒体取扱装置１は、走行路５ａと走行路７ａと走行路８ｃに沿って入金紙幣をリジェクト庫１３３に搬送して収納する（矢印Ｒ１１と矢印Ｒ１２と矢印Ｒ１７参照）。
【００３９】
媒体取扱装置１は、入出金部３に投入された全ての入金紙幣に対して、これらの処理を行う。
【００４０】
（媒体取扱装置の出金時の動作）
以下、図３を参照して、媒体取扱装置１の出金時の動作について説明する。図３は、媒体取扱装置１の出金時及び回収時の動作を示す図である。図３は、切替ブレード９ａ，９ｂ，９ｃ（図１参照）を省略して媒体取扱装置１の動作を示している。
【００４１】
出金時において、媒体取扱装置１は、出金金額に応じて、紙幣の搬送元と搬送枚数を決定する。そして、媒体取扱装置１は、切替ブレード９ａ，９ｂ，９ｃの方向を切り替えながら、紙幣の搬送元から搬送枚数分の紙幣を繰り出す。
【００４２】
例えば、紙幣の搬送元が金庫１２ａである場合に、媒体取扱装置１は、金庫１２ａから出金紙幣を繰り出す。そして、媒体取扱装置１は、走行路８ａと走行路７ｂと走行路７ａと走行路５ａに沿って紙幣を入出金部３に搬送して収納する（矢印Ｒ３１と矢印Ｒ３２と矢印Ｒ３３と矢印Ｒ３４参照）。
【００４３】
また、例えば、紙幣の搬送元が金庫１２ｂである場合に、媒体取扱装置１は、金庫１２ｂから出金紙幣を繰り出す。そして、媒体取扱装置１は、走行路８ｂと走行路７ｂと走行路７ａと走行路５ａに沿って紙幣を入出金部３に搬送して収納する（矢印Ｒ３５と矢印Ｒ３２と矢印Ｒ３３と矢印Ｒ３４参照）。
【００４４】
また、例えば、紙幣の搬送元が金庫１２ｃである場合に、媒体取扱装置１は、金庫１２ｃから出金紙幣を繰り出す。そして、媒体取扱装置１は、走行路５ｂと走行路５ａに沿って紙幣を入出金部３に搬送して収納する（矢印Ｒ３６と矢印Ｒ３４参照）。
【００４５】
なお、媒体取扱装置１は、金庫１２（１２ａ、１２ｂ、１２ｃ）から出金された紙幣が再使用不能な状態である場合に、以下のように動作する。
【００４６】
媒体取扱装置１は、金庫１２ｃから繰り出し出した紙幣を入出金部３に搬送する際に、鑑別部１０ｂで紙幣を鑑別する。この鑑別の結果、再使用可能な紙幣であれば入出金部３へ搬送する。一方、再使用不可能な紙幣であれば、切替ブレード９ａを上下方向搬送路７側へ切り替えて、走行路７ａと走行路８ｃに沿ってリジェクト庫１３３に搬送して収納する。
【００４７】
媒体取扱装置１は、金庫１２ａと金庫１２ｃから繰り出した紙幣を入出金部３に搬送する際に、鑑別部１０ｃで紙幣を鑑別する。この鑑別の結果、再使用可能な紙幣であれば、切替ブレード９ａを入出金部３側へ切り替えて入出金部３へ搬送する。一方、再使用不可能な紙幣であれば、切替ブレード９ｂを回収カセット１３側へ切り替えて、再使用不可能な紙幣を走行路８ｃに沿ってリジェクト庫１３３に搬送して収納する。
【００４８】
なお、切替ブレード９ａ，９ｂ，９ｃが２ウェイブレードである場合は以下のように動作する。例えば、媒体取扱装置１は、紙幣を入出金部３に搬送する際に、鑑別部１０ｃ又は鑑別部１０ｂで紙幣を鑑別する。この後、媒体取扱装置１は、鑑別部１０ｃ又は鑑別部１０ｂを通過した紙幣の順番に基づいて、鑑別された紙幣の属性情報（例えば、紙幣の金種情報や、紙幣が再使用可能な状態であるのか否かの情報等）を記憶部（図示せず）に記憶する。そして、紙幣が再使用可能な状態である場合に、媒体取扱装置１は、入出金部３での紙幣の収納状態を維持する。一方、紙幣が再使用不能な状態である場合に、媒体取扱装置１は、後続の紙幣の搬送を一旦停止する。このとき、後続の紙幣が切替ブレード９ａを越えて走行路５ａに進入していれば、媒体取扱装置１は、後続の紙幣を逆走させて、走行路５ａから走行路５ｂに戻す。そして、媒体取扱装置１は、再使用不能であると判断された紙幣を走行路５ａと走行路７ａと走行路８ｃに沿って逆送させリジェクト庫１３３に搬送して収納する（矢印Ｒ４１と矢印Ｒ４２と矢印Ｒ４３参照）。この後、媒体取扱装置１は、走行路５ａへの後続の紙幣の搬送を再開する。
【００４９】
媒体取扱装置１は、全ての出金紙幣に対して、これらの処理を行う。この後、媒体取扱装置１は、シャッタ４を開けて、入出金部３に収納された紙幣を操作者に取り出させる。
【００５０】
（媒体取扱装置の回収時の動作）
以下、図３を参照して、媒体取扱装置１の回収時の動作について説明する。回収動作は、媒体取扱装置１の内部に収納されている紙幣を回収する場合の動作である。媒体取扱装置１の回収時の動作は、出金時と同様のルートで紙幣を搬送する動作となる。
【００５１】
図３に示すように、例えば、回収時において、媒体取扱装置１は、金庫１２ａから紙幣を繰り出す。そして、媒体取扱装置１は、走行路８ａと走行路７ｂに沿って紙幣を回収カセット１３に搬送して収納する（矢印Ｒ３１と矢印Ｒ３２と矢印Ｒ４３参照）。
【００５２】
また、例えば、回収時において、媒体取扱装置１は、金庫１２ｂから紙幣を繰り出す。そして、媒体取扱装置１は、走行路８ｂと走行路７ｂに沿って紙幣を回収カセット１３に搬送して収納する（矢印Ｒ３５と矢印Ｒ３２と矢印Ｒ４３参照）。
【００５３】
また、例えば、回収時において、媒体取扱装置１は、金庫１２ｃから紙幣を繰り出す。そして、媒体取扱装置１は、走行路５ｂと走行路７ａと走行路８ｃに沿って紙幣を回収カセット１３に搬送して収納する（矢印Ｒ３６と矢印Ｒ４２と矢印Ｒ４３参照）。
【００５４】
なお、媒体取扱装置１は、回収時に鑑別部１０ｂ又は鑑別部１０ｃで再使用不能な紙幣であると判断された場合は、再使用不能な紙幣を回収カセット１３の内部に設けられたリジェクト庫１３３に移送する。
【００５５】
媒体取扱装置１は、内部に収納されている各紙幣に対して、これらの処理を行う。この後、回収された紙幣は、媒体取扱装置１から回収カセット１３を抜き出すことによって取り出される。
【００５６】
＜媒体取扱装置の主な特徴＞
本実施形態１に係る媒体取扱装置１は、複数の金庫１２（図示例では、金庫１２ａ，１２ｂ，１２ｃ）のうち、少なくとも２つの金庫１２（図示例では、金庫１２ａ，１２ｂ）が上下方向搬送路７に対して前方向と後方向とに分かれて配置されている。
【００５７】
このような本実施形態１に係る媒体取扱装置１は、従来技術の媒体取扱装置と異なり、奥行き方向に複数の金庫や回収カセットを直列に配置する構成になっていない。そのため、本実施形態１に係る媒体取扱装置１は、特に奥行き方向の寸法の短縮化を実現することができる。例えば、本実施形態１に係る媒体取扱装置１は、従来技術の媒体取扱装置よりも奥行き方向の寸法を２／３程度に短くすることができる。そのため、本実施形態１に係る媒体取扱装置１は、従来技術の媒体取扱装置よりも設置面積の小型化を実現することができる。このような本実施形態１に係る媒体取扱装置１は、例えば、ＰＯＳレジに要望されている設置面積の小型化（狭小化）基準を満たすように、小型化（狭小化）すること（特に奥行き方向の寸法を短縮化すること）ができる。そのため、本実施形態１に係る媒体取扱装置１は、比較的狭い場所であっても設置することができる。
【００５８】
なお、本実施形態に係る媒体取扱装置１は、釣銭機に限らず、他の装置（例えば、金融機関や流通機関等で用いられている電子マネーチャージ機やセルフ精算機）として構成することができる。電子マネーチャージ機やセルフ精算機も、ＰＯＳレジと同様に設置面積を小型化（狭小化）すること（特に、奥行き方向の長さを短くすること）が要望されている。本実施形態１に係る媒体取扱装置１は、電子マネーチャージ機やセルフ精算機に要望されている設置面積の小型化（狭小化）基準を満たすように、小型化（狭小化）すること（特に奥行き方向の寸法を短縮化すること）ができる。
【００５９】
以上の通り、本実施形態１に係る媒体取扱装置１によれば、設置面積の小型化（特に奥行き方向の寸法の短縮化）を実現することができる。
【００６０】
［実施形態２］
＜媒体取扱装置の構成＞
実施形態１に係る媒体取扱装置１は、入金時において、紙幣が走行路５ａを通過しきる前に、鑑別部１０ａで紙幣を鑑別してから切替ブレード９ａで紙幣の搬送方向を切り替える構造になっている。このような実施形態１に係る媒体取扱装置１は、紙幣が走行路５ａを通過しきる前に、鑑別部１０ａで紙幣の鑑別処理を終了し、その後に、紙幣の金種に応じて切替ブレード９ａで搬送方向の切替処理を行う必要がある。そのため、実施形態１に係る媒体取扱装置１は、走行路５ａにある程度の搬送長さを必要とする。したがって、実施形態１に係る媒体取扱装置１は、走行路５ａの長さが比較的長くなっており、その分だけ、奥行き方向の寸法が長くなっている。
【００６１】
そこで、本実施形態２では、実施形態１に係る媒体取扱装置１（図１参照）よりも奥行き方向の寸法を短縮化した媒体取扱装置１Ａを提供する。以下、図４を参照して、本実施形態２に係る媒体取扱装置１Ａの構成について説明する。図４は、本実施形態２に係る媒体取扱装置１Ａの内部構成を模式的に示す図である。
【００６２】
図４に示すように、本実施形態２に係る媒体取扱装置１Ａは、実施形態１に係る媒体取扱装置１（図１参照）と比較すると、以下の点で相違している。
（１）走行路５ａの長さが媒体取扱装置１のものよりも短くなっている点。
（２）走行路５ａ，５ｂ，７ｂから鑑別部１０ａ，１０ｂ，１０ｃが削除されており、その代わりに、走行路５ｂに入出金用の鑑別部１０ｄが設けられている点。
（３）金庫１２ｃの高さが媒体取扱装置１のものよりも低くなっており、走行路５ｂの下に一時収納部１１が設けられている点。
（４）走行路５ｂの後端部付近に、走行路８ｄと切替ブレード９ｄとが設けられている点。
【００６３】
前記した（１）の相違点について、この相違点により、媒体取扱装置１Ａの奥行き方向の寸法Ｌ１Ａが媒体取扱装置１の奥行き方向の寸法Ｌ１（図１参照）よりも短くなっている。つまり、媒体取扱装置１Ａの奥行き方向の寸法は、媒体取扱装置１の奥行き方向の寸法よりも短縮化されている。
【００６４】
また、前記した（２）の相違点について、前記した鑑別部１０ｄは、入金紙幣と出金紙幣の双方を鑑別する構成要素である。鑑別部１０ｄは、水平方向搬送路５の経路上の、上下方向搬送路７が分岐している箇所よりも後方、すなわち金庫１２ｃ側の位置に設けられている。
【００６５】
また、前記した（３）の相違点について、本実施形態２では、金庫１２ｃの高さが実施形態１のものよりも低くなっている。したがって、本実施形態２では、金庫１２ｃの収納量が実施形態１のものよりも減少している。そこで、媒体取扱装置１Ａは、好ましくは、比較的流通量が少ない紙幣の金種を金庫１２ｃに割り当てて、比較的流通量が多い紙幣の金種を他の金庫１２ａ，１２ｂに割り当てるとよい。これにより、媒体取扱装置１Ａは、金庫１２ａ，１２ｂ，１２ｃに比較的多くの紙幣を収納することができ、運用効率を向上させることができる。
【００６６】
また、前記した（４）の相違点について、本実施形態２では、切替ブレード９ｄを含む全ての切替ブレード９ａ，９ｂ，９ｃ，９ｄが２ウェイブレードであるものとして説明する。しかしながら、切替ブレード９ａ，９ｂ，９ｃ，９ｄの中の任意の切替ブレードは、３ウェイブレードであってもよい。
【００６７】
＜媒体取扱装置の動作＞
（媒体取扱装置の入金時の動作）
以下、図５を参照して、媒体取扱装置１Ａの入金時の動作について説明する。図５は、媒体取扱装置１Ａの入金時の動作を示す図である。図５は、切替ブレード９ａ，９ｂ，９ｃ，９ｄ（図４参照）を省略して媒体取扱装置１Ａの動作を示している。ここでは、例えば、小売店等の精算カウンタで、顧客が所望の商品を購入する場合を想定して説明する。
【００６８】
入金時において、媒体取扱装置１Ａの操作者（例えば、小売店の店員）は、顧客から商品の代金として１乃至複数枚の紙幣を預かり、預かった紙幣を入金紙幣として入出金部３に投入する。すると、図５に示すように、媒体取扱装置１Ａは、入出金部３に投入された入金紙幣を１枚ずつに分離して走行路５ａに順次繰り出し、走行路５ａと走行路５ｂに沿って搬送して、内部に取り込む（矢印Ｒ６１と矢印Ｒ６２参照）。その際に、媒体取扱装置１Ａは、鑑別部１０ｄで入金紙幣を鑑別して、鑑別部１０ｄを通過した紙幣の順番に基づいて、鑑別された紙幣の属性情報（例えば、紙幣の金種情報や、紙幣が再使用可能な状態であるのか否かの情報等）を記憶部（図示せず）に記憶する。また、媒体取扱装置１Ａは、鑑別結果に応じて紙幣の最終的な搬送先を決定して、最終的な搬送先の情報を記憶部（図示せず）に記憶する。
【００６９】
この後、媒体取扱装置１Ａは、紙幣の最終的な搬送先に応じて、切替ブレード９ａ，９ｂ，９ｃ，９ｄの方向を切り替えながら、該当する搬送先に入金紙幣を搬送する。
【００７０】
例えば、入金紙幣が金庫１２ｃに割り当てられた金種の紙幣である場合に、媒体取扱装置１Ａは、金庫１２ｃを紙幣の最終的な搬送先に決定する。そして、媒体取扱装置１Ａは、走行路５ｂと走行路８ｄに沿って入金紙幣を金庫１２ｃに搬送して収納する（矢印Ｒ６２と矢印Ｒ６３参照）。
【００７１】
また、例えば、入金紙幣がリジェクト紙幣である場合に、媒体取扱装置１Ａは、リジェクト庫１３３を紙幣の最終的な搬送先に決定する。そして、媒体取扱装置１Ａは、走行路５ｂに沿って入金紙幣を一時収納部１１に搬送して一時的に収納する。
【００７２】
また、例えば、入金紙幣が金庫１２ａに割り当てられた金種の紙幣である場合に、媒体取扱装置１Ａは、金庫１２ａを紙幣の最終的な搬送先に決定する。また、例えば、入金紙幣が金庫１２ｂに割り当てられた金種の紙幣である場合に、媒体取扱装置１Ａは、金庫１２ｂを紙幣の最終的な搬送先に決定する。また、例えば、入金紙幣がリジェクト紙幣である場合に、媒体取扱装置１Ａは、リジェクト庫１３３を紙幣の最終的な搬送先に決定する。そして、媒体取扱装置１Ａは、走行路５ｂに沿って入金紙幣を一時収納部１１に搬送して一時的に収納する（矢印Ｒ６２と矢印Ｒ６４参照）。
【００７３】
この後、媒体取扱装置１Ａは、所望のタイミング（例えば、上位装置２の精算ボタン（図示せず）が押下されたとき等）で、一時収納部１１から入金紙幣を順次繰り出して（矢印Ｒ６５参照）、紙幣の最終的な搬送先に向けて搬送する。なお、精算ボタン（図示せず）は、精算の実行を指示するためのボタンである。
【００７４】
このとき、例えば、入金紙幣が金庫１２ａに割り当てられた金種の紙幣である場合に、媒体取扱装置１Ａは、走行路５ｂと走行路７ａと走行路７ｂと走行路８ａに沿って入金紙幣を金庫１２ａに搬送して収納する（矢印Ｒ６６と矢印Ｒ６７と矢印Ｒ６８と矢印Ｒ６９参照）。
【００７５】
また、例えば、入金紙幣が金庫１２ｂに割り当てられた金種の紙幣である場合に、媒体取扱装置１Ａは、走行路５ｂと走行路７ａと走行路７ｂと走行路８ｂに沿って入金紙幣を金庫１２ｂに搬送して収納する（矢印Ｒ６６と矢印Ｒ６７と矢印Ｒ６８と矢印Ｒ７０参照）。
【００７６】
また、例えば、入金紙幣がリジェクト紙幣である場合に、媒体取扱装置１Ａは、走行路５ｂと走行路７ａと走行路８ｃに沿って入金紙幣をリジェクト庫１３３に搬送して収納する（矢印Ｒ６６と矢印Ｒ６７と矢印Ｒ７１参照）。
【００７７】
なお、媒体取扱装置１Ａは、一時収納部１１に収納された入金紙幣の順番に基づいて、一時収納部１１に収納された各入金紙幣の属性情報や最終的な搬送先の情報を記憶部（図示せず）に記憶する。そして、媒体取扱装置１Ａは、一時収納部１１から入金紙幣を繰り出す際に、繰り出された順番に基づいて、各入金紙幣の最終的な搬送先を特定する。
【００７８】
媒体取扱装置１Ａは、入出金部３に投入された全ての入金紙幣に対して、これらの処理を行う。
【００７９】
なお、入金時において、媒体取扱装置１Ａは、紙幣を一時収納部１１に一時的に収納する。このような媒体取扱装置１Ａは、取引のキャンセル時に、入出金部３に投入されてから一時収納部１１に収納された紙幣を入出金部３に戻すことができる。つまり、媒体取扱装置１Ａは、取引のキャンセル時に、顧客から媒体取扱装置１Ａの操作者（例えば、小売店の店員）に預けられた紙幣の現物を顧客に返却することができる。
【００８０】
また、入金時において、媒体取扱装置１Ａは、紙幣を一時収納部１１に一時的に収納する。そして、媒体取扱装置１Ａは、精算ボタン（図示せず）が押下されたときに、一時収納部１１に収納された紙幣を金種に応じた金庫１２に移送する。このような媒体取扱装置１Ａは、好ましくは、前の顧客の精算処理が行われてから次の顧客の精算処理が行われるまでの時間で紙幣を移送するとよい。
【００８１】
その理由は、以下の通りである。
すなわち、前の顧客の精算処理が行われてから次の顧客の精算処理が行われるまでの時間では、次の顧客の売上計上処理が行われる。その売上計上処理は、紙幣の移送に関連しない処理である。また、前の顧客の精算処理が行われてから次の顧客の精算処理が行われるまでの時間は、紙幣の移送に求められる時間よりも圧倒的に長い時間である。そのため、媒体取扱装置１Ａは、次の顧客の売上計上処理を遅滞なく行うことができるとともに、紙幣の走行障害（例えば、ジャム等）の発生を低減させて、紙幣を確実に移送することができる。このような媒体取扱装置１Ａは、高い運用効率を得ることができる。
【００８２】
（媒体取扱装置の出金時の動作）
以下、図６を参照して、媒体取扱装置１Ａの出金時の動作について説明する。図６は、媒体取扱装置１Ａの出金時及び回収時の動作を示す図である。図６は、切替ブレード９ａ，９ｂ，９ｃ，９ｄ（図４参照）を省略して媒体取扱装置１Ａの動作を示している。
【００８３】
出金時において、媒体取扱装置１Ａは、出金金額に応じて、紙幣の搬送元と搬送枚数を決定する。そして、媒体取扱装置１Ａは、切替ブレード９ａ，９ｂ，９ｃ，９ｄの方向を切り替えながら、紙幣の搬送元から搬送枚数分の紙幣を繰り出す。
【００８４】
例えば、紙幣の搬送元が金庫１２ａである場合に、媒体取扱装置１Ａは、金庫１２ａから紙幣を繰り出す。そして、媒体取扱装置１Ａは、走行路８ａと走行路７ｂと走行路７ａと走行路５ｂに沿って紙幣を一時収納部１１に搬送して一時的に収納する（矢印Ｒ８１と矢印Ｒ８２と矢印Ｒ８３と矢印Ｒ８４と矢印Ｒ８５参照）。その際に、媒体取扱装置１Ａは、鑑別部１０ｄで紙幣を鑑別して、鑑別部１０ｄを通過した紙幣の順番に基づいて、鑑別された紙幣の属性情報（例えば、紙幣の金種情報や、紙幣が再使用可能な状態であるのか否かの情報等）を記憶部（図示せず）に記憶する。そして、例えば、紙幣が再使用可能な状態である場合に、媒体取扱装置１Ａは、その紙幣を出金紙幣とし、入出金部３を紙幣の搬送先に決定する。一方、紙幣が再使用不能な状態である場合に、媒体取扱装置１Ａは、その紙幣をリジェクト紙幣とし、リジェクト庫１３３を紙幣の搬送先に決定する。この場合に、媒体取扱装置１Ａは、リジェクト紙幣の枚数分だけ金庫１２ａから紙幣を追加して繰り出し、一時収納部１１に一時的に収納する。この後、媒体取扱装置１Ａは、一時収納部１１から紙幣を繰り出す（矢印Ｒ８６参照）。そして、繰り出された紙幣が再使用可能な出金紙幣である場合に、媒体取扱装置１Ａは、走行路５ｂと走行路５ａに沿って紙幣を入出金部３に搬送して収納する（矢印Ｒ８７と矢印Ｒ８８参照）。一方、繰り出された紙幣が再使用不能なリジェクト紙幣である場合に、媒体取扱装置１Ａは、走行路５ｂと走行路７ａと走行路８ｃに沿って紙幣をリジェクト庫１３３に搬送して収納する（矢印Ｒ８７と矢印Ｒ９１と矢印Ｒ９２参照）。
【００８５】
また、例えば、紙幣の搬送元が金庫１２ｂである場合に、媒体取扱装置１Ａは、金庫１２ｂから紙幣を繰り出す。そして、媒体取扱装置１Ａは、走行路８ｂと走行路７ｂと走行路７ａと走行路５ｂに沿って紙幣を一時収納部１１に搬送して一時的に収納する（矢印Ｒ８９と矢印Ｒ８２と矢印Ｒ８３と矢印Ｒ８４と矢印Ｒ８５参照）。その際に、媒体取扱装置１Ａは、鑑別部１０ｄで紙幣を鑑別して、鑑別部１０ｄを通過した紙幣の順番に基づいて、鑑別された紙幣の属性情報（例えば、紙幣の金種情報や、紙幣が再使用可能な状態であるのか否かの情報等）を記憶部（図示せず）に記憶する。そして、例えば、紙幣が再使用可能な状態である場合に、媒体取扱装置１Ａは、その紙幣を出金紙幣とし、入出金部３を紙幣の搬送先に決定する。一方、紙幣が再使用不能な状態である場合に、媒体取扱装置１Ａは、その紙幣をリジェクト紙幣とし、リジェクト庫１３３を紙幣の搬送先に決定する。この場合に、媒体取扱装置１Ａは、リジェクト紙幣の枚数分だけ金庫１２ｂから紙幣を追加して繰り出し、一時収納部１１に一時的に収納する。この後、媒体取扱装置１Ａは、一時収納部１１から紙幣を繰り出す（矢印Ｒ８６参照）。そして、繰り出された紙幣が再使用可能な出金紙幣である場合に、媒体取扱装置１Ａは、走行路５ｂと走行路５ａに沿って紙幣を入出金部３に搬送して収納する（矢印Ｒ８７と矢印Ｒ８８参照）。一方、繰り出された紙幣が再使用不能なリジェクト紙幣である場合に、媒体取扱装置１Ａは、走行路５ｂと走行路７ａと走行路８ｃに沿って紙幣をリジェクト庫１３３に搬送して収納する（矢印Ｒ８７と矢印Ｒ９１と矢印Ｒ９２参照）。
【００８６】
また、例えば、紙幣の搬送元が金庫１２ｃである場合に、媒体取扱装置１Ａは、金庫１２ｃから紙幣を繰り出す（矢印Ｒ９０参照）。そして、媒体取扱装置１Ａは、走行路５ｂに沿って紙幣を入出金部３の方向に向けて搬送する（矢印Ｒ８７参照）。その際に、媒体取扱装置１Ａは、鑑別部１０ｄで紙幣を鑑別して、鑑別部１０ｄを通過した紙幣の順番に基づいて、鑑別された紙幣の属性情報（例えば、紙幣の金種情報や、紙幣が再使用可能な状態であるのか否かの情報等）を記憶部（図示せず）に記憶する。そして、例えば、紙幣が再使用可能な状態である場合に、媒体取扱装置１Ａは、その紙幣を出金紙幣とし、入出金部３を紙幣の搬送先に決定する。そして、媒体取扱装置１Ａは、走行路５ａに沿って紙幣を入出金部３に搬送して収納する（矢印Ｒ８８参照）。一方、紙幣が再使用不能な状態である場合に、媒体取扱装置１Ａは、その紙幣をリジェクト紙幣とし、リジェクト庫１３３を紙幣の搬送先に決定する。そして、媒体取扱装置１Ａは、走行路７ａと走行路８ｃに沿って紙幣をリジェクト庫１３３に搬送して収納する（矢印Ｒ９１と矢印Ｒ９２参照）。なお、金庫１２ｃから繰り出した紙幣の中にリジェクト紙幣がある場合に、媒体取扱装置１Ａは、リジェクト紙幣の枚数分だけ紙幣を追加して金庫１２ｃから繰り出す。
【００８７】
媒体取扱装置１Ａは、全ての出金紙幣に対して、これらの処理を行う。この後、媒体取扱装置１Ａは、シャッタ４を開けて、入出金部３に収納された紙幣を操作者に取り出させる。
【００８８】
（媒体取扱装置の回収時の動作）
以下、図６を参照して、媒体取扱装置１Ａの回収時の動作について説明する。
【００８９】
図６に示すように、例えば、回収時において、媒体取扱装置１Ａは、金庫１２ａから紙幣を繰り出す。そして、媒体取扱装置１Ａは、走行路８ａと走行路７ｂと走行路７ａと走行路５ｂに沿って一時収納部１１に搬送して一時的に収納する（矢印Ｒ８１と矢印Ｒ８２と矢印Ｒ８３と矢印Ｒ８４と矢印Ｒ８５参照）。この後、媒体取扱装置１Ａは、一時収納部１１から紙幣を繰り出す（矢印Ｒ８６参照）。そして、繰り出された紙幣が再使用可能な状態である場合に、媒体取扱装置１Ａは、走行路５ｂと走行路７ａと走行路８ｃに沿って紙幣を回収カセット１３に搬送して収納する（矢印Ｒ８７と矢印Ｒ９１と矢印Ｒ９２参照）。一方、繰り出された紙幣が再使用不能な状態である場合に、媒体取扱装置１Ａは、走行路５ｂと走行路７ａと走行路８ｃに沿って紙幣をリジェクト庫１３３に搬送して収納する（矢印Ｒ８７と矢印Ｒ９１と矢印Ｒ９２参照）。
【００９０】
また、例えば、回収時において、媒体取扱装置１Ａは、金庫１２ｂから紙幣を繰り出す。そして、媒体取扱装置１Ａは、走行路８ｂと走行路７ｂと走行路７ａと走行路５ｂに沿って一時収納部１１に搬送して一時的に収納する（矢印Ｒ８９と矢印Ｒ８２と矢印Ｒ８３と矢印Ｒ８４と矢印Ｒ８５参照）。この後、媒体取扱装置１Ａは、一時収納部１１から紙幣を繰り出す（矢印Ｒ８６参照）。そして、繰り出された紙幣が再使用可能な状態である場合に、媒体取扱装置１Ａは、走行路５ｂと走行路７ａと走行路８ｃに沿って紙幣を回収カセット１３に搬送して収納する（矢印Ｒ８７と矢印Ｒ９１と矢印Ｒ９２参照）。一方、繰り出された紙幣が再使用不能な状態である場合に、媒体取扱装置１Ａは、走行路５ｂと走行路７ａと走行路８ｃに沿って紙幣をリジェクト庫１３３に搬送して収納する（矢印Ｒ８７と矢印Ｒ９１と矢印Ｒ９２参照）。
【００９１】
また、例えば、回収時において、媒体取扱装置１Ａは、金庫１２ｃから紙幣を繰り出す（矢印Ｒ９０参照）。そして、媒体取扱装置１Ａは、走行路５ｂと走行路７ａと走行路８ｃに沿って紙幣を回収カセット１３の方向に向けて搬送する（矢印Ｒ８７参照）。紙幣が再使用可能な状態である場合に、媒体取扱装置１Ａは、走行路７ａと走行路８ｃに沿って紙幣を回収カセット１３に搬送して収納する（矢印Ｒ８８参照）。一方、紙幣が再使用不能な状態である場合に、媒体取扱装置１Ａは、走行路７ａと走行路８ｃに沿って紙幣をリジェクト庫１３３に搬送して収納する（矢印Ｒ９１と矢印Ｒ９２参照）。
【００９２】
媒体取扱装置１Ａは、内部に収納されている各紙幣に対して、これらの処理を行う。この後、回収された紙幣は、媒体取扱装置１Ａから回収カセット１３を抜き出すことによって取り出される。
【００９３】
＜媒体取扱装置の主な特徴＞
本実施形態２に係る媒体取扱装置１Ａは、走行路５ｂの下に一時収納部１１を有している。その一時収納部１１の媒体出入り口は、走行路５ｂの終端付近に配置されている。そして、媒体取扱装置１Ａは、入金時において、紙幣が走行路５ｂを通過しきる前に、鑑別部１０ｄで紙幣を鑑別してから切替ブレード９ｄで紙幣の搬送方向を切り替える構造になっている。
【００９４】
このような本実施形態２に係る媒体取扱装置１Ａは、実施形態１に係る媒体取扱装置１（図１参照）と異なり、入金時において、紙幣が走行路５ａを通過しきる前に、紙幣の鑑別処理や搬送方向の切替処理を終了させる必要がない。そのため、媒体取扱装置１Ａは、走行路５ａの長さを媒体取扱装置１よりも短くすることができる。また、媒体取扱装置１Ａは、走行路５ａから鑑別部１０ａ（図１参照）を削除することができる。これにより、媒体取扱装置１Ａは、奥行き方向の寸法Ｌ１Ａを媒体取扱装置１の奥行き方向の寸法Ｌ１（図１参照）よりも短くすることができる。したがって、媒体取扱装置１Ａは、媒体取扱装置１よりも奥行き方向の寸法を短縮化することができる。
【００９５】
以上の通り、本実施形態２に係る媒体取扱装置１Ａによれば、実施形態１に係る媒体取扱装置１と同様に、設置面積の小型化（特に奥行き方向の寸法の短縮化）を実現することができる。
しかも、本実施形態２に係る媒体取扱装置１Ａによれば、実施形態１に係る媒体取扱装置１に比べて、奥行き方向の寸法をさらに短縮化することができる。
【００９６】
なお、本発明は、前記した実施形態に限定されるものではなく、本発明の要旨を逸脱しない範囲で種々の変更や変形を行うことができる。
【００９７】
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００９８】
また、例えば、本発明は、釣銭機に限らず、例えば、金融機関や流通機関等で用いられている電子マネーチャージ機やセルフ精算機、交通機関や流通機関等で用いられている券売機、その他の装置として媒体取扱装置を構成する場合にも適用することができる。また、媒体取扱装置は、紙幣に限らず、例えば、商品券や、その他の媒体を取り扱う構成にしてもよい。
【００９９】
また、例えば、前記した実施形態２に係る媒体取扱装置１Ａは、切替ブレード９ａ，９ｂ，９ｃ，９ｄが２ウェイブレードなっている。しかしながら、切替ブレード９ａ，９ｂ，９ｃ，９ｄの中の任意の切替ブレード（例えば、切替ブレード９ａ，９ｂ）は、３ウェイブレードに変更することができる。なお、この場合に、例えば実施形態１のように上下方向搬送路７に出金用の鑑別部１０ｃ（図１参照）を設ければ、媒体取扱装置１Ａは、金庫１２ａと金庫１２ｂからの出金時に、紙幣を一時収納部１１に搬送することなく、入出金部３に直接搬送することができる。また、金庫１２ａと金庫１２ｂからの出金時に再使用不可能な紙幣であると判別された場合は、金庫１２ａと金庫１２ｂからリジェクト庫１３３に直接搬送することができる。また、金庫１２ａと金庫１２ｂからの回収時は、紙幣を一時収納部１１に搬送することなく、回収カセット１３に直接搬送することができる。また、金庫１２ａと金庫１２ｂからの回収時に再使用不可能な紙幣であると判別された場合は、金庫１２ａと金庫１２ｂからリジェクト庫１３３に直接搬送することができる。
【符号の説明】
【０１００】
１，１Ａ    媒体取扱装置
２    上位装置（ＰＯＳレジ）
３    入出金部（入出部）
４    シャッタ
５    水平方向搬送路
５ａ，５ｂ，７ａ，７ｂ，８ａ，８ｂ，８ｃ    走行路
７    上下方向搬送路
９（９ａ，９ｂ，９ｃ，９ｄ）    切替ブレード
１０ａ，１０ｂ，１０ｃ，１０ｄ    鑑別部
１１    一時収納部
１２（１２ａ、１２ｂ、１２ｃ）    金庫（収納庫）
１３    回収カセット
９０    接続ケーブル
１３３    リジェクト庫
【図１】
2019169045.tif 000003
【図２】
2019169045.tif 000004
【図３】
2019169045.tif 000005
【図４】
2019169045.tif 000006
【図５】
2019169045.tif 000007
【図６】
2019169045.tif 000008
【図７】
2019169045.tif 000009